(57)【要約】【課題】化粧用綿は、複数枚をブロック状に束ねたものであっても、一枚、一枚、確実に取り出すことができる化粧用綿の包装方法を開発・提供することにある。【解決手段】適宜の厚みを有し、適当な大きさにカットされた化粧用綿を、複数枚、ブロック状に積み束ねて包装する場合において、一の化粧用綿（１）とそれに隣接する化粧用綿（２）との一辺の位置を、交互にズラして化粧用綿の両側面に凹凸が形成されるように束ねて包装することを特徴とする化粧綿の包装方法から構成され、また、適宜の厚みを有し、適当な大きさにカットされた化粧用綿を、包装容器（３）に複数束を収納するに際し、一の化粧用綿（１）とそれに隣接する化粧用綿（２）との一辺の位置を、交互にずらして化粧用綿の両側面に凹凸が形成されるように積み束ね、これらを並設して包装容器内に収納することを特徴とする化粧綿の包装方法からなるものである。【選択図】        図２
2008125684.tif 000002
【特許請求の範囲】
【請求項１】
適宜の厚みを有し、適当な大きさにカットされた化粧用綿を、複数枚、ブロック状に積み束ねて包装する場合において、一の化粧用綿（１）とそれに隣接する化粧用綿（２）との一辺の位置を、交互に適宜寸法（Ｘ）程ズラして化粧用綿（１）の両側面に凹凸が形成されるように積み束ねて包装することを特徴とする化粧綿の包装方法。
【請求項２】
適宜の厚みを有し、適当な大きさにカットされた化粧用綿を、包装容器（３）に複数束を収納するに際し、一の化粧用綿（１）とそれに隣接する化粧用綿（２）との一辺の位置を、交互に適宜寸法（Ｘ）程ズラして化粧用綿（１）の両側面に凹凸が形成されるように積み束ね、これらを並設して収納・包装することを特徴とする化粧綿の包装方法。
【発明の詳細な説明】
【技術分野】
【０００１】
この発明は、化粧用綿の包装方法に関するものである。
【背景技術】
【０００２】
従来、化粧用綿は、矩形で、適宜な厚みを有しており、化粧を落とす際に、顔に塗った化粧品を拭き取ったり、化粧水を付けたりする際に使用されるものであり、女性の化粧には特に欠かせないものである。
【０００３】
しかしながら、この化粧用綿は、複数枚を積み束ねてブロック状にして包装されており、箱や袋から一枚、一枚、取り出して使用する場合には、二枚を一緒に取り出してしまったり、一枚の半分程度の厚みのまま取り出してしまったりして結構煩雑なものであり、急いでいる場合には、なおさら煩雑であった。
【０００４】
また、これらの不便を解消するために、化粧用綿の両端を圧縮したものが存在するが、見た目に安価な印象を与えてしまい、やはり、矩形の周囲まで同一の厚みを有する化粧用綿の方が、保水に対して安心感があり、しかも、高級品のようにに見受けられる。
【発明の開示】
【発明が解決しようとする課題】
【０００５】
そこで、この発明は、化粧用綿は、複数枚をブロック状に積み束ねたものであっても、一枚、一枚、的確に取り出すことができる化粧用綿の包装方法を開発・提供することにある。
【課題を解決するための手段】
【０００６】
そして、この発明は、複数枚の化粧用綿をブロック状に積み束ねたものにおいて、各化粧用綿の一辺を、隣接する化粧用綿の一辺と所定寸法の幅ほどズラして交互に重ね合わせて積み束ねることにより、その束より化粧用綿を一枚一枚取り出し易くできる化粧綿の包装方法である。
【発明の効果】
【０００７】
この発明によると、適宜の厚みを有し、適当な大きさにカットされた化粧用綿を、複数枚、ブロック状に積み束ねて包装する場合において、一の化粧用綿（１）とそれに隣接する化粧用綿（２）との一辺の位置を、交互に適宜寸法（Ｘ）程ズラして化粧用綿の両側面に交互に凹凸が形成されるように積み束ねて包装することにより、使用する際には、各化粧用綿の一枚の厚みが容易に把握でき、一枚づつ束より的確に取り外すことが出来、さらに、包装容器（３）に収納した場合にも、化粧用綿（１）をズラして入れることにより、多少、余裕のある包装容器（３）であっても、必要寸法（Ｙ）の長さを調節して重ね合わせて積み束ねることにより、包装容器（３）の内壁と化粧用綿との空いた空間を埋めることができ、化粧用綿（１）の束と束とを密着して包装用容器に収納できるため、輸送中に片寄ることもない等極めて有益なる効果を奏する。
【発明を実施するための最良の形態】
【０００８】
この発明の好適な実施例を図面により詳述すると、図１はこの発明にかかる化粧用綿の積み束ねた状態を示す斜視図であり、図２は、複数の化粧用綿を積み束ねてブロック状態とした斜視図であり、図３は、（ａ）（ｂ）ともにブロック状に積み束ねた化粧用綿を包装容器内に収納した状態の正面図である。
【０００９】
適宜の厚みを有し、適当な大きさにカットされた化粧用綿を、複数枚、ブロック状に積み束ねて包装する場合において、一の化粧用綿（１）とそれに隣接する化粧用綿（２）との一辺の位置を、交互に適宜寸法（Ｘ）程ズラして化粧用綿の両側面に凹凸が形成されるように束ねて包装することを特徴とする化粧綿の包装方法からなり、また、適宜の厚みを有し、適当な大きさにカットされた化粧用綿を、包装容器（３）に複数束を収納するに際し、一の化粧用綿（１）とそれに隣接する化粧用綿（２）との一辺の位置を、交互に必要寸法（Ｙ）程ズラして重ねることにより、化粧用綿（１）の両側面に凹凸が形成されるように束ね、これらを並設して包装することを特徴とする化粧綿の包装方法からなるものである。
【実施例】
【００１０】
そこで、この発明の化粧綿の包装方法を図面により詳述すると、一枚の化粧用綿の一例を述べると、は、縦７ｃｍ、横５．５ｃｍの矩形であり、厚みは４ｍｍであり、この化粧用綿を多数枚、ブロック状に積み束ねて包装する場合において、一の化粧用綿（１）とそれに隣接する化粧用綿（２）との一辺の位置を、交互に適宜寸法（Ｘ）程ズラして化粧用綿（１）（２）の両側面に凹凸が形成されるように束ねて包装することを特徴とする化粧綿の包装方法から構成され、適宜寸法（Ｘ）とは、７ｍｍ程度である。
【００１１】
次に、この発明の別の実施例を詳述すると、適宜の厚みを有し、適当な大きさにカットされた化粧用綿を、包装容器（３）に複数束を収納するに際し、一の化粧用綿（１）とそれに隣接する化粧用綿（２）との一辺の位置を、交互に、必要寸法（Ｙ）程ズラして化粧用綿の両側面に凹凸が形成されるように束ね、これらを並設して包装することを特徴とする化粧綿の包装方法からなるものである。
【００１２】
即ち，包装容器（３）の内壁間の寸法に比べ、内部に収納する化粧用綿（１）（２）の寸法が短く、包装容器（３）との間に隙間が生じる場合には、化粧用綿（１）、化粧用綿（２）の積み束ねる際、調整して必要寸法（Ｙ）程、ズラして積み束ねることにより、隙間なく化粧用綿（１）（２）を収納することができるものである。
【産業上の利用可能性】
【００１３】
この発明は、化粧用綿の包装方法の技術を確立し、かつ、実際に装置を製造し、使用することにより、産業上の利用可能性を有する。
【図面の簡単な説明】
【００１４】
【図１】この発明の使用方法を示す斜視図である。
【図２】この発明の他の実施例を示す斜視図である。
【図３】この発明に使用するブロック状に束ねた化粧用綿を包装容器内に収納した状態の正面図であり、（ａ）は二列のブロック状に束ねた化粧用綿、（ｂ）は一列のブロック状に束ねた化粧用綿の正面図である。
【符号の説明】
【００１５】
１  化粧用綿
２  隣接する化粧用綿
３  包装容器
Ｘ  適宜寸法
Ｙ  必要寸法
【図１】
2008125684.tif 000003
【図２】
2008125684.tif 000004
【図３】
2008125684.tif 000005